(57)【要約】【課題】低コストで工業生産が可能でありながら、しかもケースの輝度や艶度が改善された携帯用機器を提供することを課題とするものである。【解決手段】サブ表示器側筐体６の筐体本体６２の外表面に施された被覆層７は、金属層７１、金属層７１の上に設けられた金属粒子入り樹脂層７２、金属粒子入り樹脂層７２の上に設けられた透光性保護層７３、および金属粒子入り樹脂層７２と透光性保護層７３とを接着する接着剤層７４から形成されている。金属層７１は、例えば０．０５ｍｍ〜０．５ｍｍ程度の薄い圧延金属板にて形成れており、金属粒子入り樹脂層７２は、金属粒子７２１と  透光性の樹脂７２２との混合物にて形成れている。【選択図】図２
2005123735.tif 000002
【特許請求の範囲】
【請求項１】
携帯用機器の樹脂製筐体の表面に設けられた金属層、上記金属層の上に設けられて金属粒子と透光性樹脂とを含む金属粒子入り樹脂層、および上記金属粒子入り樹脂層の上に設けられて透光性樹脂にて形成された透光性保護層を備えたことを特徴とする携帯用機器。
【請求項２】
上記金属粒子入り樹脂層と上記透光性保護層との間に透光性の金属蒸着層
を有することを特徴とする請求項１記載の携帯用機器。
【請求項３】
携帯用機器の樹脂製筐体の表面に設けられた金属層、上記金属層の上に設けられて透光性樹脂にて形成された中間樹脂層、上記中間樹脂層の内部および／または外面に設けられた透光性の金属蒸着層、および上記金属蒸着層の上に設けられて透光性樹脂にて形成された保護層を備えたことを特徴とする携帯用機器。
【請求項４】
上記金属層は、圧延金属板で形成されていることを特徴とする請求項１〜請求項３のいずれか一項記載の携帯用機器。
【請求項５】
上記金属粒子入り樹脂層を形成する透光性樹脂および上記中間樹脂層を形成する透光性樹脂は、着色されていることを特徴とする請求項１または請求項３記載の携帯用機器。
【請求項６】
上記透光性保護層は、蓄光性に基づく夜光性を有するものであることを特徴とする請求項１記載または請求項３記載の携帯用機器。
【請求項７】
上記透光性保護層は、発香性を有するものであることを特徴とする請求項１または請求項３記載の携帯用機器。
【請求項８】
上記透光性保護層は、表面にハードコート層を有することを特徴とする請求項１〜請求項７のいずれか一項記載の携帯用機器。
【発明の詳細な説明】
【技術分野】
【０００１】
本発明は、携帯用機器に関し、特にそのケースの意匠性が改善された携帯用電話機、デジタルカメラなどの携帯用機器に関するものである。
【背景技術】
【０００２】
従来の携帯用機器のケースとして、後記する特許文献１から、合成樹脂成形品からなる機器本体の表面に、光沢ができるように鏡面仕上げされ且つ色彩のある塗料層をベース色として形成するとともに、このベース色の塗料層の上に、アルミ又はニッケル等の光輝性金属の粒子を混入した透明又は半透明の樹脂膜を一体に附着して形成されたものが公知である。
【０００３】
また後記特許文献２から、プラスチック材料で形成された本体を備え、前記本体は、少なくとも一部が透明材料により形成され、当該透明材料で形成された部分の裏面には、接着剤層の上に分散散布された色付きまたは光沢性の微細片と当該色付きまたは光沢性の微細片の上から施された塗装層とが形成されたものが公知である。
【０００４】
ところで、携帯電話機やデジタルカメラなどの携帯用機器は、機能がほぼ同等で差別化できないときはもちろん、差別化できるときであっても、消費者の商品選択基準としてのデザイン性の占める比率が高く、特に高輝度・高艶・色調の深み感は商品選択の大きな要因となる。かかる現状に対して、前記特許文献１では、前記した透明又は半透明の樹脂膜におけるアルミ又はニッケル等の光輝性金属の粒子の層の上下には有機高分子の層しか存在せず、したがって外来光のうちで光輝性金属の粒子にて反射した光部分は筐体の光沢性向上に寄与するものの、光輝性金属粒子の間を通過した光部分は、その大半が有機高分子層に吸収されて光沢性向上に寄与しないので、携帯用機器の筐体の光沢性が未だ充分でない問題がある。
【０００５】
また上記の光輝性金属粒子に基づく高艶を実現するためには、粒径が小さく光沢のある金属粒子を多量に含ませる必要があるためコストが高くなる問題があり、さらに表層の透明又は半透明の樹脂膜として高度に艶のある樹脂膜を採用する必要があるために、コスト高や不良率の増大などの問題もある。前記特許文献２でも外来光の反射に寄与するのは、接着剤層の上に分散散布された色付きまたは光沢性の微細片のみであるので、実質的に前記特許文献１と同様の問題がある。
【特許文献１】特開２０００−３４９８７４号公報（請求項１、段落番号０００９、図２、図３）
【特許文献２】特開２００２−９９１６号公報（請求項１、段落番号００１６、図７、図８）
【発明の開示】
【発明が解決しようとする課題】
【０００６】
本発明は、従来技術における上記の問題点を解消して、低コストで工業生産が可能でありながら、しかもケースの輝度や艶度が改善された携帯用機器を提供することを課題とするものである。
【課題を解決するための手段】
【０００７】
本発明の請求項１に係る携帯用機器は、携帯用機器の樹脂製筐体の表面に設けられた金属層、上記金属層の上に設けられて金属粒子と透光性樹脂とを含む金属粒子入り樹脂層、および上記金属粒子入り樹脂層の上に設けられて透光性樹脂にて形成された保護層を備えたことを特徴とするものである。
【０００８】
本発明の請求項３に係る携帯用機器は、携帯用機器の樹脂製筐体の表面に設けられた金属層、上記金属層の上に設けられて透光性樹脂にて形成された中間樹脂層、上記中間樹脂層の内部および／または外面に設けられた透光性の金属蒸着層、および上記金属蒸着層の上に設けられて透光性樹脂にて形成された保護層を備えたことを特徴とするものである。
【発明の効果】
【０００９】
本発明の携帯用機器は、そのケースに照射された光は、従来の塗装のみを施したケースの場合と異なって、請求項１での上記金属粒子入り樹脂層に含まれた金属粒子、あるいは請求項３での金属蒸着層による反射だけでなく、上記金属粒子入り樹脂層あるいは上記金属蒸着層で反射せずにそれらの層を透過した光成分も上記金属層により反射するので、高輝度のデザイン性の高い外観を有する。
【００１０】
しかも本発明の携帯用機器のケースの高輝度は、金属粒子あるいは金属蒸着層と金属層との相乗作用に基づくものであるので、金属粒子入り樹脂層を採用する場合には、上記金属粒子の種類、粒度、粒形、使用量などの点で選択の自由度が増大し、一方金属蒸着層を採用する場合には、上記金属の種類、膜厚、層構成などの点で自由度が増す。さらにまた本発明では、そのケースに照射された光は、金属粒子入り樹脂層あるいは金属蒸着層と金属層の２層で反射するので、ケース表面を見る角度によって反射の様相が変化するので、デザイン性の高い外観を実現する効果もある。
【発明を実施するための最良の形態】
【００１１】
以下、説明の順位の早い図に示された部位と同じ部位が後続の図に示される場合には、互に同じ符号を付して後続の図では部位の説明を省略する。
【００１２】
実施の形態１．
図１および図２は、本発明の携帯用機器における実施の形態１を説明するものであって、図１は上記携帯用機器の一例としての折畳み式の携帯用電話機の折畳んだ状態での一部破断図を含む斜視図であり、図２は図１のＡ‐Ａ線に沿った後記サブ表示器側筐体６の断面図である。
【００１３】
図１および図２において、携帯用電話機１は、キー操作を行う操作部を有する操作本体２、前記の操作や着信時において必要な情報を表示する情報表示部を有する情報表示本体３、および操作本体２のキー操作部と情報表示本体３の情報表示部が向かい合う構成で折り畳めるように連結するヒンジ４を備えている。また情報表示本体３は、開いた状態において情報を表示するメイン表示器側筐体５および折り畳んだ状態において情報を表示するサブ表示画面６１を有するサブ表示器側筐体６を備えている。またサブ表示器側筐体６の樹脂製の筐体本体６２の外表面には、被覆層７が施されている。
【００１４】
図２において、上記筐体本体６２の外表面に施された被覆層７は、金属層７１、金属層７１の上に設けられた金属粒子入り樹脂層７２、金属粒子入り樹脂層７２の上に設けられた透光性保護層７３、および金属粒子入り樹脂層７２と透光性保護層７３とを接着する接着剤層７４から構成されている。金属層７１は、例えば０．０５ｍｍ〜０．５ｍｍ程度の薄い圧延金属板にて形成されていて、接着剤による接着あるいはその他の方法で筐体本体６２上に施されている。金属粒子入り樹脂層７２および透光性保護層７３の各厚みは、５〜１０００μｍ程度、好ましくは１００〜５００μｍ程度である。
【００１５】
金属粒子入り樹脂層７２は、金属粒子７２１と金属粒子７２１同士のバインダーの機能をなす樹脂７２２との混合物にて形成されており、当該混合物を用いて印刷、ドクターナイフを用いた塗装、などの方法で金属層７１上に形成されている。よって金属粒子７２１は、樹脂７２２内でほぼ均一に分散した状態となっている。金属粒子７２１としては、アルミニウム、ニッケル、金、銀、あるいはその他の斯界で周知あるいは公知の各種光輝性金属の粒子の一種または二種以上の混合物を採用することができる。要は、金属粒子入り樹脂層７２がサブ表示器側筐体６に照射された光の少なくとも一部を反射して、金属層７１と共に前記した２層反射を実現するものであれば良い。
【００１６】
なお金属粒子入り樹脂層７２は、金属層７１と共に光を効果的に散乱して高輝度のデザイン性の高い外観を実現する効果に加えて、次の効果も奏し得る。即ち、金属層７１の形成材料としての前記した薄い圧延金属板は、安価であって且つ工業的に安定して入手可能な利点を有する半面、その表面にそれの製造時に生じるロール目があって、それが目立つとサブ表示器側筐体６の外観水準が低下する問題が内在しているが、金属粒子入り樹脂層７２中の金属粒子７２１が、その隠蔽作用に基づいてロール目を見えなくしてサブ表示器側筐体６の外観水準の低下を防止している。
【００１７】
透光性保護層７３は、保護本体層７３１とその表面に形成されたハードコート層７３２とから構成されており、保護本体層７３１は色調の深みを増し、金属粒子入り樹脂層７２を保護する機能をなし、ハードコート層７３２は外力による傷付きから保護本体層７３１を保護する機能をなす。接着剤層７４の接着剤としては、金属粒子入り樹脂層７２と透光性保護層７３とを良好に接着するものであれば特に制限なく使用できる。
【００１８】
被覆層７に含まれる樹脂７２２、保護本体層７３１、ハードコート層７３２、および接着剤層７４を形成する各材料は、基本的には透光性に優れていることが好ましいが、サブ表示器側筐体６の輝度や艶度が実質的に損なわれない限り、透明樹脂に限らず半透明樹脂であってもよい。さらに携帯用電話機１の使用者の好みに合うように、着色されたものであってもよい。特に金属粒子入り樹脂層７２が着色されていると、前記したようにサブ表示器側筐体６に照射された光は、金属粒子入り樹脂層７２と金属層７１の２層で反射して当該筐体６の表面を見る角度によって反射の様相、特に色調が変化するので、被覆層７の艶、色調などの深み感を向上させる上で効果がある。
【００１９】
さらに透光性保護層７３、就中、保護本体層７３１は、太陽光や蛍光灯光などを吸収して蓄光する蓄光性を有し、夜間に蓄光にて発光して暗がり下でも携帯用機器を操作できるように、あるいは携帯用機器の所在個所の発見を容易にするようにしてもよく、あるいは発香性を有して、携帯用機器の携帯中や操作時に芳香を発するようにしてもよい。かくすると、商品選択規準としてデザイン性だけでなく、上記のような付加価値を与えて商品価値が向上する。なお、上記の蓄光性や発香性は、保護本体層７３１の形成材料として各種の周知の蓄光性物質を含んだもの、あるいは天然や合成の香料を含んだものを用いることにより達成される。かかる蓄光性や発香性を具備することの利点は、後続する諸実施の形態における透光性保護層７３、就中、保護本体層７３１についても該当する。
【００２０】
実施の形態１の被覆層７は、サブ表示器側筐体６の筐体本体６２の外表面上に金属層７１、金属粒子入り樹脂層７２および透光性保護層７３を順次施与する方法により形成してもよいが、筐体本体６２の製造とは別工程において、予め上記各層７１〜７３からなる積層シートを調製し、当該積層シートを筐体本体６２上に施与する方法によってもよい。またその際、当該積層シートは、適当な接着剤を用いて筐体本体６２に接着してもよく、あるいはその他の方法によってもよい。
【００２１】
実施の形態２．
図３は、本発明の携帯用機器における実施の形態２を説明するものであって、前記携帯用機器の一例としての折畳み式携帯用電話機の前記図２に対応するサブ表示器側筐体６（図１参照）の断面図である。図３において、筐体本体６２の上に設けられた被覆層７は、金属層７１、金属層７１の上に設けられて透光性樹脂にて形成された中間樹脂層７５、中間樹脂層７５の上に設けられた透光性の金属蒸着層７６、金属蒸着層７６の上に設けられた透光性保護層７３、および金属蒸着層７６と透光性保護層７３とを接着する接着剤層７７から構成されている。金属層７１および透光性保護層７３は、いずれも実施の形態１で採用されたものと同じ構成を有し、且つ同じ材料にて形成されている。中間樹脂層７５は実施の形態１での金属粒子入り樹脂層７２を形成する樹脂と同じであってよい。なお接着剤層７７の接着剤としては、中間樹脂層７５と金属蒸着層７６とを良好に接着するものであれば特に制限はなく用いられる。
【００２２】
金属蒸着層７６としては、各種の金属材を対象として通常の蒸着方法にて透光性保護層７３の下に一層のみ形成さたもの、あるいは複数層が積層形成されたものであって、要は金属蒸着層７６がサブ表示器側筐体６に照射された光の少なくとも一部を反射して、金属層７１と共に前記した２層反射を実現する反射能と透光性を備えたものであれば良く、その厚みは特に制限はないが、一般的には例えば０．００１μｍ〜１μｍ程度、特に０．０１μｍ〜０．５μｍ程度が好ましい。また中間樹脂層７５が着色されていると、前記したようにサブ表示器側筐体６に照射された光は、金属蒸着層７６と金属層７１の２層で反射するので、当該筐体６の表面を見る角度によって反射の様相、特に色調が変化するので、被覆層７の艶、色調などの深み感を向上させる上で効果がある。また金属層７１が、薄い圧延金属板にて構成されている際には、金属蒸着層７６が前記した外観水準を低下させる要因となるロール目を隠蔽する効果もある。
【００２３】
実施の形態２の被覆層７は、筐体本体６２の上に金属層７１、中間樹脂層７５、接着剤層７７、金属蒸着層７６、および透光性保護層７３を順次施与する方法により形成してもよいが、実施の形態１の場合と同様にサブ表示器側筐体６の製造とは別工程において、予め上記各層７１〜７３からなる積層シートを調製し、当該積層シートを筐体本体６２の上に施与する方法によってもよい。また当該積層シートの筐体本体６２上への施与には、適当な接着剤を用いてもよく、あるいはその他の方法によってもよい。その際、上記積層シートは、金属層７１の上に中間樹脂層７５を印刷により形成し、一方、透光性保護層７３となるフィルム裏面に金属蒸着層７６を形成しておき、中間樹脂層７５と金属蒸着層７６とを接着剤７７にて接着して製造することができる。
【００２４】
実施の形態３．
図４は、本発明の携帯用機器における実施の形態３を説明するものであって、前記携帯用機器の一例としての折畳み式携帯用電話機の前記図２または図３に対応するサブ表示器側筐体６の断面図である。図４において、筐体本体６２の上に設けられた被覆層７は、金属層７１、金属粒子入り樹脂層７２、接着剤層７７、金属蒸着層７６、および透光性保護層７３が順次積層した構造を有する。
【００２５】
実施の形態３の被覆層７は、筐体本体６２の上に上記の各層を順次施与する方法により形成してもよく、サブ表示器側筐体６の製造とは別工程において、予め上記各層７１〜７３からなる積層シートを調製し、当該積層シートを筐体本体６２の上に施与する方法によってもよい。その際、上記の積層シートは、金属層７１の上に金属粒子入り樹脂層７２を印刷などにより形成し、一方、透光性保護層７３となるフィルムを別途製造し、さらにそのハードコート層７３２とは反対面に予め金属蒸着層７６を形成しておき、次いでかくして得たフィルムの金属蒸着層７６と金属粒子入り樹脂層７２とを接着剤層７７を構成する接着剤にて接着して製造することができる。
【００２６】
実施の形態３では、サブ表示器側筐体６に照射された光は、金属層７１による反射だけでなく、金属蒸着層７６による反射、および金属粒子入り樹脂層７２中の金属粒子７２１の３層で反射するので、サブ表示器側筐体６の表面を見る角度によって反射の様相、特に色調が変化するので、被覆層７の艶、色調などの深み感を向上させる上で効果がある。また金属層に薄い圧延金属板を用いる際には、ロール目が外観水準を低下させる要因となるが、金属粒子入り樹脂層７２および金属蒸着層７６がロール目を隠蔽する効果がある。
【００２７】
以上、本発明を実施の形態１〜実施の形態３により詳細に説明したが、本発明はそれら実施の形態に限定されるものではなく、本発明の課題並びに解決手段の精神に沿った種々の変形形体を包含することは言うまでもない。例えば実施の形態１〜実施の形態３では、専らサブ表示器側筐体６に被覆層７を設ける態様を取り上げたが、サブ表示器側筐体６以外の外表面、あるいは携帯電話機1の筐体の表示窓以外の全外表面に適用可能であり、さらに携帯用電話機以外の各種携帯用機器、例えばデジタルカメラなどにおける筐体の外表面にも適用可能である。
【産業上の利用可能性】
【００２８】
本発明の携帯用機器は、デザイン性に優れているので、携帯用機器の技術面に加えてデザイン性が重視あるいは重用される領域での利用可能性が期待される。
【図面の簡単な説明】
【００２９】
【図１】実施の形態１の折畳み式携帯用電話機の折畳んだ状態での一部破断図を含む斜視図である。
【図２】図１のＡ−Ａ線に沿ったサブ表示器側筐体６の断面図である。
【図３】実施の形態２の折畳み式携帯用電話機についてのサブ表示器側筐体６の図２に対応する断面図である。
【図４】実施の形態３の折畳み式携帯用電話機についてのサブ表示器側筐体６の図２に対応する断面図である。
【符号の説明】
【００３０】
１  携帯用電話機、２  操作本体、３  情報表示本体、４  ヒンジ、
５  メイン表示器側筐体、６  サブ表示器側筐体、６１  サブ表示画面、
６２  筐体本体、７  被覆層、７１  金属層、７２  金属粒子入り樹脂層、
７２１  金属粒子、７２２  樹脂、７３  透光性保護層、７３１  保護本体層、
７３２  ハードコート層、７４  接着剤層、７５  中間樹脂層、７６  金属蒸着層、
７７  接着剤層。
【図１】
2005123735.tif 000003
【図２】
2005123735.tif 000004
【図３】
2005123735.tif 000005
【図４】
2005123735.tif 000006